(57)【要約】      （修正有）【課題】術者の負担を軽減させ、かつ汎用性の高いＸ線撮影装置を提供することを目的とする。【解決手段】被検体の鼠蹊部より足先側の部位を撮影するときのみ下肢撮影用フィルタ１１ａを、Ｘ線可動絞り１０の開口部１０ａであるＸ線の照視野内に移動し、被検体の腰部を撮影するときにはそのフィルタ１１ａを照視野外に移動するように、切替機構１２を構成する。このように切替機構１２を構成することで、術者の負担を軽減させ、かつ汎用性の高いＸ線撮影装置を実現することができる。【選択図】図４
2008114083.tif 000002
【特許請求の範囲】
【請求項１】
Ｘ線成分を抽出するフィルタと、中央部にＸ線の透過率を抑えたフィルタを設けた下肢撮影用フィルタと、Ｘ線の照視野外と照視野内との間で前記フィルタ又は前記下肢撮影用フィルタを切り替える切替手段とを備えることを特徴とするＸ線絞り装置。
【請求項２】
前記切替機構は、前記Ｘ線成分を抽出するフィルタ及び前記下肢撮影用フィルタを配設したベースギアと、そのベースギアにそれぞれ嵌合された駆動ギアおよび位置検出用ギアと、前記ベースギアの中心部を貫通したベース軸と、前記駆動ギアの中心部を貫通した駆動軸と、前記位置検出用ギアの中心部を貫通した検出軸と、前記駆動軸を軸心周りに回転させるモータと、前記検出軸の底部に連結された回転計とを備えることを特徴とする請求項１記載のＸ線絞り装置
【請求項３】
前記Ｘ線成分を抽出するフィルタは、Ｘ線の透過の加減をそれぞれ調節する３つの付加フィルタからなり、当該付加フィルタ及び前記下肢撮影用フィルタが前記ベースギアに９０°おきに配設されていることを特徴とする請求項２記載のＸ線絞り装置。
【請求項４】
Ｘ線管と、請求項１〜３のいずれかに記載のX線絞り装置と、Ｘ線検出器と、前記Ｘ線管および前記Ｘ線検出器を保持する保持部材と、被検体を載置する天板とを有するX線撮影装置。
【発明の詳細な説明】
【技術分野】
【０００１】
この発明は、Ｘ線管から被検体に照射されたＸ線を検出して被検体の撮影を行うＸ線撮影装置およびこれに使用するＸ線絞り装置に係り、特に、Ｘ線成分を抽出するフィルタを用いてＸ線撮影を行う技術に関する。
【背景技術】
【０００２】
従来、Ｘ線撮影装置において、例えば下肢の血管造影撮影を両足同時に行う場合には、造影剤を被検体の血管に注入し、腰部から足先まで造影剤が血管の内部を流れる様子を、Ｘ線撮影装置のＸ線管およびＸ線検出器（イメージインテンシファイア）を保持する保持部材（例えばＣ型アーム）または被検体を載置する天板を腰部から足先まで連続移動もしくはステップ移動する（例えば特許文献１参照）。
【特許文献１】特開２００１−２６９３３３号公報
【発明の開示】
【発明が解決しようとする課題】
【０００３】
しかしながら、従来のＸ線撮影装置においてＸ線成分を抽出するフィルタを用いて撮影を行う場合には、術者の負担あるいは撮影が困難になるという問題がある。例えば、上述したように下肢の血管造影撮影を両足同時に行う場合には、足の部分と両足の間の部分とでＸ線の透過率が異なるので、撮影画像にハレーションが起こる。かかるハレーションを防止するために被検体の両足の間に専用のマットを置くと、マットによって術者の負担が大きくなる。また、Ｘ線管の管球付近にフィルタを設置することでハレーションを防止することも考えられるが、その場合には腰部の撮影画像の中心までフィルタで隠されてしまい、撮影が困難になる。
【０００４】
この発明は、このような事情に鑑みてなされたものであって、術者の負担を軽減させ、かつ汎用性の高いＸ線撮影装置を提供することを目的とする。
【課題を解決するための手段】
【０００５】
このような目的を達成するために、この発明にかかるＸ線絞り装置は、Ｘ線成分を抽出するフィルタと、中央部にＸ線の透過率を抑えたフィルタを設けた下肢撮影用フィルタと、Ｘ線の照視野外と照視野内との間で前記フィルタ又は前記下肢撮影用フィルタを切り替える切替手段とを備えることを特徴とする。
【０００６】
また、前記切替機構は、前記Ｘ線成分を抽出するフィルタ及び前記下肢撮影用フィルタを配設したベースギアと、そのベースギアにそれぞれ嵌合された駆動ギアおよび位置検出用ギアと、前記ベースギアの中心部を貫通したベース軸と、前記駆動ギアの中心部を貫通した駆動軸と、前記位置検出用ギアの中心部を貫通した検出軸と、前記駆動軸を軸心周りに回転させるモータと、前記検出軸の底部に連結された回転計とを備えることを特徴とする。
【０００７】
さらに、前記Ｘ線成分を抽出するフィルタは、Ｘ線の透過の加減をそれぞれ調節する３つの付加フィルタからなり、当該付加フィルタ及び前記下肢撮影用フィルタが前記ベースギアに９０°おきに配設されていることを特徴とする。
【０００８】
なお、本明細書は、Ｘ線撮影装置、Ｘ線撮影方法およびＸ線撮影装置に用いられるＸ線管に係る発明も開示している。
【０００９】
（１）Ｘ線管から被検体にＸ線を照射し、前記被検体に照射されたＸ線をＸ線検出器が検出することで、被検体のＸ線撮影を行うＸ線撮影方法であって、前記Ｘ線管およびＸ線検出器を保持する保持部材、または被検体を載置する天板のいずれか１つを少なくとも移動し、前記保持部材と天板との相対位置が所定位置のときのみ、前記Ｘ線管から照射されるＸ線成分を抽出するフィルタをＸ線の照視野内に移動し、前記相対位置が前記所定位置以外のときには前記フィルタを前記照視野外に移動して被検体のＸ線撮影を行うことを特徴とするＸ線撮影方法。
【００１０】
〔作用・効果〕前記（１）の発明によれば、フィルタを用いてその所定位置に関する撮影画像を取得するには、その所定位置のときのみフィルタを照視野内に移動することで、フィルタを通してその所定位置での被検体のＸ線撮影を行い、フィルタを用いずにその所定位置以外に関する撮影画像を取得するには、その所定位置以外のときに照視野外に移動することで、フィルタを通さずにその所定位置以外での被検体のＸ線撮影を行う。その結果、例えば従来のように被検体にマットを置くなどの術者の負担を軽減させることができ、さらに、撮影の位置に応じてフィルタを使用するか否かについて選択することができるので、撮影が容易になる。
【００１１】
（２）前記（１）に記載のＸ線撮影方法において、複数の前記フィルタから所定のフィルタに選択して切り替えることでＸ線の照視野外と照視野内との間でフィルタを移動することを特徴とするＸ線撮影方法。
【００１２】
〔作用・効果〕前記（２）の発明によれば、複数の前記フィルタから所定のフィルタに選択して切り替えることでＸ線の照視野外と照視野内との間でフィルタを移動するので、様々なフィルタを用いてＸ線撮影を行うことができる。
【００１３】
（３）Ｘ線撮影装置に用いられるＸ線管であって、前記Ｘ線管は、そのＸ線管から照射されるＸ線成分を抽出するフィルタと、Ｘ線管から照射されるＸ線の照視野外と照視野内との間で前記フィルタを移動する移動手段とを備え、前記Ｘ線管およびＸ線検出器を保持する保持部材と被検体を載置する天板との相対位置が所定位置のときのみ前記フィルタを前記照視野内に移動し、前記相対位置が前記所定位置以外のときには前記フィルタを前記照視野外に移動するように、前記移動手段は構成されていることを特徴とするＸ線管。
【００１４】
Ｘ線を被検体に照射するＸ線管と、前記被検体に照射されたＸ線を検出するＸ線検出器と、前記Ｘ線管およびＸ線検出器を保持する保持部材と、被検体を載置する天板と、前記Ｘ線管から照射されるＸ線成分を抽出するフィルタと、Ｘ線管から照射されるＸ線の照視野外と照視野内との間で前記フィルタを移動する移動手段とを備えているＸ線撮影装置であって、前記保持部材と天板との相対位置が所定位置のときのみ前記フィルタを前記照視野内に移動し、前記相対位置が前記所定位置以外のときには前記フィルタを前記照視野外に移動するように、前記移動手段は構成されていることを特徴とするものである。
【００１５】
〔作用・効果〕移動手段は、Ｘ線管から照射されるＸ線の照視野外と照視野内との間でフィルタを移動するように構成されるとともに、保持部材と天板との相対位置が所定位置のときのみフィルタを照視野内に移動し、その相対位置が所定位置以外のときにはフィルタを照視野外に移動するように構成されている。従って、フィルタを用いてその所定位置に関する撮影画像を取得するには、その所定位置のときのみ移動手段がフィルタを照視野内に移動することで、フィルタを通してその所定位置での被検体のＸ線撮影を行い、フィルタを用いずにその所定位置以外に関する撮影画像を取得するには、その所定位置以外のときに移動手段が照視野外に移動することで、フィルタを通さずにその所定位置以外での被検体のＸ線撮影を行う。その結果、例えば従来のように被検体にマットを置くなどの術者の負担を軽減させることができ、さらに、撮影の位置に応じてフィルタを使用するか否かについて選択することができるので、撮影が容易になり、汎用性の高いＸ線撮影装置を実現することができる。
【００１６】
（５）前記（３）に記載のＸ線管において、前記フィルタは、Ｘ線管から照射されたＸ線束を所定の形状に制限することを特徴とするＸ線管。
【００１７】
前記（３）のフィルタは、特に限定されず、前記（５）の発明のようにＸ線管から照射されたＸ線束を所定の形状に制限するフィルタであってもよい。
【００１８】
（６）前記（３）または（５）に記載のＸ線管において、前記移動手段を、複数の前記フィルタから所定のフィルタに選択して切り替える切替手段で構成することを特徴とするＸ線管。
【００１９】
〔作用・効果〕前記（６）の発明によれば、移動手段を、複数のフィルタから所定のフィルタに選択して切り替える切替手段で構成することで、Ｘ線の照視野外と照視野内との間でフィルタを移動する。このように構成することで、様々なフィルタを用いてＸ線撮影を行うことができる。
【発明の効果】
【００２０】
両足を撮影する際に、下肢撮影用フィルタの中央部以外の部分に相当する被検体Ｍの足の部分にはＸ線が照射されて、下肢撮影用フィルタの中心部に相当する両足の間の部分にはＸ線がほとんど照射されずに、足の部分と両足の間の部分とでのＸ線の透過率の差異が低減される。その結果、ハレーションが起こらなくなるので、ハレーションを防止すべく被検体Ｍにマットを置くなどの術者の負担を軽減させることができる。また、様々なフィルタを用いてＸ線撮影を行うことができる。
【００２１】
フィルタは、Ｘ線の波長ごとに異なるＸ線質から特定のエネルギーのＸ線のみを抽出、すなわちＸ線成分を抽出するものであれば、特に限定されず、下肢撮影用フィルタはＸ線管から照射されたＸ線束を所定の形状に制限するフィルタである。『所定の形状に制限する』とは、例えば所定の形状内ではＸ線の透過率を高くして、形状外ではＸ線の透過率を低くもしくはＸ線を透過させないようにしてもよいし、例えば所定の形状外ではＸ線の透過率を高くして、形状内ではＸ線の透過率を低くもしくはＸ線を透過させないようにしてもよい。
【００２２】
また、移動手段を、複数のフィルタから所定のフィルタに選択して切り替える切替手段で構成することで、Ｘ線の照視野外と照視野内との間でフィルタを移動するようにしてもよい。また、このように構成することで、様々なフィルタを用いてＸ線撮影を行うことができる。
【発明を実施するための最良の形態】
【００２３】
以下、図面を参照してこの発明の一実施例を説明する。図１は、本実施例に係るＸ線撮影装置の概略構成を示した側面図、図２は、その正面図、図３は、本実施例に係るＸ線撮影装置に用いられるＸ線管およびコリメータの一部破断図、図４は、それらの平面図、図５は、コリメータ内に備えられた切替機構の平面図である。なお、本実施例では、被検体に造影剤を、造影剤注入用のカテーテルを介して注入して、血管像を撮影するＸ線撮影装置を例に採って説明する。本実施例装置は、図１，図２に示すように、被検体Ｍを載置して検診するための天板１，支柱部２，およびＣ型アーム３から構成される。この支柱部２は、天井面に取り付けられて鉛直軸（図１，図２中のｚ軸）の軸心周りの回転を除いて固定されている。Ｃ型アーム３は、本発明における保持部材に相当する。
【００２４】
天板１は、昇降可能で、かつ、被検体Ｍの体軸方向に沿って移動可能にそれぞれ構成されている。天板１の駆動を制御する天板駆動制御部４が、天板１に接続されており、この天板駆動制御部４は、天板１を駆動させる駆動機構や、天板１の体軸方向の移動を止めるブレーキ機構や、その体軸方向の移動を解除するブレーキ解除機構や、天板１の位置を検出する検出機構など（いずれも図示省略）を制御するように構成されている。
【００２５】
Ｃ型アーム３の一端には、被検体ＭにＸ線を照射するＸ線管５が、他端には、被検体Ｍに照射されたＸ線を検出して光学像に変換するイメージインテンシファイア（以下、『Ｉ．Ｉ』と適宜略記する）６がそれぞれ支持されている。Ｃ型アーム３は、被検体Ｍの体軸（図１，図２中のｘ軸）の軸心周りに、被検体Ｍの体軸に対して水平面で垂直方向の軸（図１，図２中のｙ軸）の軸心周りにそれぞれ回転可能に構成されているとともに、支柱部２は、鉛直軸心周りに回転可能に構成されている。Ｉ．Ｉ６は、本発明におけるＸ線検出器に相当する。
【００２６】
支柱部２およびＣ型アーム３の駆動を制御するＣ型アーム駆動制御部７が、支柱部２およびＣ型アーム３にそれぞれ接続されており、このＣ型アーム駆動制御部７は、支柱部２およびＣ型アーム３を駆動させる駆動機構や、支柱部２およびＣ型アーム３の位置を検出する検出機構など（いずれも図示省略）を制御するように構成されている。
【００２７】
Ｘ線管５に管電圧および管電流を与える高電圧発生部８が、Ｘ線管５に接続されている。また、図３，図４に示すように、Ｘ線管５にはＸ線を照射する方向の面にコリメータ９が取り付けられており、このコリメータ９はＸ線の照視野を制御する。コリメータ９は、４本の板状部材１０ａから構成されるＸ線可動絞り１０と、複数のフィルタ１１を有する切替機構１２とを備えている。コリメータ９は、本発明におけるＸ線絞り装置に相当する。
【００２８】
Ｘ線可動絞り１０を構成する４本の板状部材１０ａは、開口部１０ｂを有するように互いに直交に配設されており、各板状部材１０ａは図３，図４中の矢印の方向に移動可能にそれぞれ構成されている。この開口部１０ｂ内を通るＸ線が、Ｘ線の照視野となって、各板状部材１０ａが上述のように移動可能に構成されることで開口部１０ｂの大きさを調節し、それによってＸ線の照視野を調節する。
【００２９】
図１，図２に示すように、コリメータ９の板状部材１０ａおよび切替機構１２（図３，図４参照）の駆動を制御するコリメータ駆動制御部１３が、板状部材１０ａおよび切替機構１２にそれぞれ接続されており、このコリメータ駆動制御部１３は、板状部材１０ａを駆動させる駆動機構（図示省略）や、切替機構１２の後述するベースギア１６を駆動させるモータ２２や、フィルタ１１の位置を検出する回転計２３などを制御するように構成されている。切替機構１２の具体的構成については、後で説明する。
【００３０】
Ｉ．Ｉ６によって光学像に変換されたデータは、制御部１４を介して、演算部１５に送られて、種々の演算処理を施した後に撮影画像として出力される。制御部１４は、天板駆動制御部４，Ｃ型アーム駆動制御部７，高電圧発生部８，コリメータ駆動制御部１３などを統括制御するように構成されている。演算部１５は、上述した演算処理の他に、Ｃ型アーム３および天板１の各位置に基づいてＣ型アーム３と天板１との相対位置を演算する機能をも備えている。
【００３１】
次に、切替機構１２の具体的構成について、図３〜図５を参照して説明する。切替機構１２は、複数のフィルタ１１を配設したベースギア１６と、そのベースギア１６にそれぞれ嵌合された駆動ギア１７および位置検出用ギア１８と、ベースギア１６の中心部を貫通したベース軸１９と、駆動ギア１７の中心部を貫通した駆動軸２０と、位置検出用ギア１８の中心部を貫通した検出軸２１と、駆動軸２０を軸心周りに回転させるモータ２２と、検出軸２１の底部に連結された回転計２３とを備えている。
【００３２】
また、本実施例では、ベースギア１６に配設されたフィルタ１１は、図４に示すように、Ｘ線管５から照射されたＸ線束を『ロの字』状に制限する下肢撮影用フィルタ１１ａ，Ｘ線の透過の加減をそれぞれ調節する３つの付加フィルタ１１ｂからなる。下肢撮影用フィルタ１１ａには中心付近にＸ線の透過率を低く抑えた長方形状のフィルタ１１ｃを設けることで、下肢撮影用フィルタ１１ａを透過したＸ線束は『ロの字』状に制限される。
【００３３】
モータ２２が駆動軸２０を軸心周りに回転させることで、駆動ギア１７を回転駆動させ、駆動ギア１７に嵌合されたベースギア１６をも回転駆動させる。ベースギア１６の回転によりベースギア１６に配設された各フィルタ１１ａ，１１ｂが、ベース軸１９の軸心周りに図４中の矢印の方向にそれぞれ回転される。また、ベースギア１６に嵌合された位置検出用ギア１８の回転数を、検出軸２１を介して回転計２３が測定することで、図４中の矢印の方向にそれぞれ回転される各フィルタ１１ａ，１１ｂの位置を検出する。
【００３４】
各フィルタ１１ａ，１１ｂは、図４に示すように、ベースギア１６を回転させることでＸ線可動絞り１０の開口部１０ｂ外・内間を移動、すなわちＸ線の照視野外と照視野内との間を移動する。また、ベースギア１６を９０°ずつ回転させることで４つのフィルタ１１（下肢撮影用フィルタ１１ａ，付加フィルタ１１ｂ）から所定のフィルタに選択して切り替える。従って、切替機構１２は、本発明における移動手段に相当し、本発明における切替手段にも相当する。
【００３５】
次に、下肢の血管造影撮影に係るＸ線撮影方法について、図６のフローチャートを参照して説明する。本実施例では、造影剤が血管の内部を流れる様子を腰部から足先の順で撮影する。
【００３６】
（ステップＳ１）天板の移動被検体Ｍを天板１に載置した後、天板１の高さが所定の位置になるように被検体Ｍを載置したまま昇降移動する。そして、被検体Ｍの腰部がＣ型アーム３のＸ線管５とＩ．Ｉ６との間に位置するように天板１は被検体Ｍの体軸方向に沿って移動する。
【００３７】
（ステップＳ２）腰部の撮影被検体Ｍの腰部がＣ型アーム３のＸ線管５とＩ．Ｉ６との間に位置したら、腰部の撮影を開始する。このとき、図５（ａ）に示すように、下肢撮影用フィルタ１１ａ以外の付加フィルタ１１ｂがＸ線の照視野内に位置し、すなわち下肢撮影用フィルタ１１ａは照視野外に位置し、腰部の撮影の際には、照視野内にある付加フィルタ１１ｂにＸ線が透過して行われる。具体的に説明すると、Ｘ線管５からＸ線を照射し、コリメータ９内の付加フィルタ１１ｂ，Ｘ線可動絞り１０を介して被検体Ｍに照射する。被検体Ｍに照射されたＸ線をＩ．Ｉ６が検出して光学像に変換した後、その変換されたデータを、制御部１４を介して、演算部１５に送り、種々の演算処理を施した後に腰部の撮影画像を取得する。本実施例では、造影剤が血管の内部を流れる様子を診るのが目的であるので、撮影画像を実際に取得せずに撮影画像の出力結果をＴＶモニタ（図示省略）に表示して診断する。
【００３８】
腰部の撮影画像を診ながら腰部から足先に向けて撮影画像を得るように天板１は被検体Ｍの頭部方向へ移動する。そして、移動しながら撮影画像を順に得る。
【００３９】
（ステップＳ３）フィルタの切替被検体Ｍの鼠蹊部（股のつけ根）付近がＣ型アーム３のＸ線管５とＩ．Ｉ６との間の位置にまで到達すると、切替機構１２はフィルタ１１の切替を行う。すなわち、本発明における保持部材と天板との相対位置とは、Ｃ型アーム３のＸ線管５とＩ．Ｉ６との間に被検体Ｍの鼠蹊部より足先側の部位が位置する、Ｃ型アーム３と天板１との相対位置のことを示す。
【００４０】
切替の際には、照視野内の付加フィルタ１１ｂは図５（ｂ）中の矢印の方向に回転して、図５（ｂ）に示すように照視野外に移動し、替わりに照視野外にあった下肢撮影用フィルタ１１ａが同方向に回転して、図５（ｂ）に示すように照視野内に移動する。これによって下肢撮影用フィルタ１１ａが選択されて切り替わる。なお、回転計２３は各フィルタ１１の位置を検出しているので、下肢撮影用フィルタ１１ａが照視野内に位置するように制御することができる。
【００４１】
（ステップＳ４）両足の撮影下肢撮影用フィルタ１１ａに切り替わった後、両足の撮影を開始する。両足の撮影の際には、照視野内にある下肢撮影用フィルタ１１ａにＸ線が透過して行われる。具体的に説明すると、Ｘ線管５から照射されたＸ線束のうち、中心付近のＸ線は、下肢撮影用フィルタ１１ａの中心付近にある長方形状のフィルタ１１ｃによってほとんど透過されず、それ以外の部分のＸ線は透過される。これによって下肢撮影用フィルタ１１ａを透過したＸ線束は『ロの字』状に制限された状態で、被検体Ｍに照射される。従って、下肢撮影用フィルタ１１ａの『ロの字』の位置に相当する被検体Ｍの足の部分にはＸ線が照射されて、下肢撮影用フィルタ１１ａの中心付近に相当する両足の間の部分にはＸ線がほとんど照射されない。
【００４２】
ステップＳ２での腰部の撮影と同様に、被検体Ｍの両足に照射されたＸ線のデータに基づいて両足の撮影画像をＴＶモニタに表示して診断する。
【００４３】
両足の撮影画像を診ながら鼠蹊部から足先に向けて撮影画像を得るように天板１は被検体Ｍの頭部方向へ移動する。そして、移動しながら撮影画像を順に得る。
【００４４】
足先まで撮影画像を得たら、Ｃ型アーム３から回避するように被検体Ｍを載置したまま天板１は被検体Ｍの体軸方向に沿って移動する。そして、天板１の昇降移動の後に被検体Ｍを天板１から降ろして一連のＸ線撮影を終了する。
【００４５】
上述したステップＳ１〜Ｓ４に係る一連のＸ線撮影方法によれば、ステップＳ４で下肢撮影用フィルタ１１ａを用いて両足の撮影画像を取得するには、ステップＳ３で両足を撮影するときのみ下肢撮影用フィルタ１１ａを照視野内に移動することで、そのフィルタ１１ａに通して被検体Ｍの両足のＸ線撮影を行い、そのフィルタ１１ａを用いずに両足以外、例えばステップＳ２で腰部の撮影画像を取得するには、そのフィルタ１１ａを照視野外に移動することで、そのフィルタ１１ａを通さずに被検体Ｍの腰部のＸ線撮影を行う。
【００４６】
また、本実施例装置によれば、切替機構１２は、Ｘ線管５から照射されるＸ線の照視野外と照視野内との間で各フィルタ１１を移動するように構成されるとともに、Ｃ型アーム３と天板１との相対位置が所定位置のとき、本実施例ではＣ型アーム３のＸ線管５とＩ．Ｉ６との間に被検体Ｍの鼠蹊部より足先側の部位が位置する、Ｃ型アーム３と天板１との相対位置のときに４つのフィルタのうち下肢撮影用フィルタ１１ａを照視野内に移動し、その相対位置が所定位置以外のときにはそのフィルタ１１ａを照視野外に移動するように構成されている。
【００４７】
また、本実施例の場合には両足を撮影する際に、下肢撮影用フィルタ１１ａの『ロの字』の位置に相当する被検体Ｍの足の部分にはＸ線が照射されて、下肢撮影用フィルタ１１ａの中心付近に相当する両足の間の部分にはＸ線がほとんど照射されずに、足の部分と両足の間の部分とでのＸ線の透過率の差異が低減される。その結果、ハレーションが起こらなくなるので、ハレーションを防止すべく被検体Ｍにマットを置くなどの術者の負担を軽減させることができる。
【００４８】
また、被検体Ｍの両足以外、例えば腰部を撮影する際には、下肢撮影用フィルタ１１ａの替わりに付加フィルタ１１ｂが用いられるので、腰部の撮影画像の中心に下肢撮影用フィルタ１１ａにある長方形状のフィルタ１１ｃで隠されることはない。その結果、撮影の位置に応じて下肢撮影用フィルタ１１ａを使用するか否かについて選択することができるので、撮影が容易になり、汎用性の高いＸ線撮影装置を実現することができる。
【００４９】
本実施例では、切替機構１２は、４つのフィルタ１１から所定の下肢撮影用フィルタ１１ａに選択して切り替える手段で構成することで、様々なフィルタを用いてＸ線撮影を行うことができる。
【００５０】
この発明は、上記実施形態に限られることはなく、下記のように変形実施することができる。
【００５１】
（１）上述した本実施例では、被検体に造影剤を、造影剤注入用のカテーテルを介して注入して、造影剤が血管の内部を流れる様子を診断したが、カテーテル注入前と注入後との各々の撮影画像について減算処理を行うディジタルサブトラクション・アンギオグラフィに適用することもできる。また、カテーテルを注入しない、Ｘ線撮影を単に撮影または診断するＸ線撮影装置や、Ｘ線ＣＴ装置にも適用することができる。
【００５２】
（２）上述した本実施例では、切替の対象となったフィルタ１１は、下肢撮影用フィルタ１１ａや付加フィルタ１１ｂであったが、これらのフィルタ１１ａ，１１ｂに限定されない。また、ベースギア１６に下肢撮影用フィルタ１１ａのみを備え、そのフィルタ１１ａを使用しないときには他のフィルタを通さずにＸ線撮影を行ってもよい。
【００５３】
（３）上述した本実施例では、本発明における移動手段として、切替機構１２を用い、さらに本発明における切替手段の機能を切替機構１２に備えるように構成したが、切替手段は本実施例のような切替機構１２に限定されない。例えば、図７の断面図に示すように、ベルト３０に複数のフィルタ３１を配設し、そのベルト３０を図７中の矢印の方向に移動することで、フィルタ３１を選択して切り替えるように構成してもよい。
【００５４】
また、切替手段の機能を必ずしも備える必要はない。変形例（２）でも述べたようにベースギア１６に下肢撮影用フィルタ１１ａのみを備えることで下肢撮影用フィルタ１１ａを照視野外と照視野内との間で移動するようにしてもよいし、本実施例のベースギア１６の替わりに、図８の平面図に示すように、水平方向に移動する基台４０に１つのフィルタ４１のみを配設し、水平方向に基台４０を移動することでフィルタ４１を照視野外と照視野内との間で移動するようにしてもよい。
【００５５】
（４）上述した本実施例では、本発明における移動手段である切替機構１２を、本発明におけるＸ線絞り装置であるコリメータ９に備えたが、本発明における移動手段をＸ線管５に備えてもよい。
【００５６】
（５）上述した本実施例では、本発明における保持部材として、Ｃ型アーム８を備えたＣ型保持部材３を用いたが、Ｘ線管とＸ線検出器とを保持する部材であれば、特に限定されない。
【図面の簡単な説明】
【００５７】
【図１】本実施例に係るＸ線撮影装置の概略構成を示した側面図である。
【図２】本実施例に係るＸ線撮影装置の概略構成を示した正面図である。
【図３】本実施例に係るＸ線撮影装置に用いられるＸ線管およびコリメータの一部破断図である。
【図４】本実施例に係るＸ線管およびコリメータの平面図である。
【図５】本実施例に係るコリメータ内に備えられた切替機構の平面図であって、（ａ）はフィルタが切り替わる前の一態様を示し、（ｂ）はフィルタが切り替わったときの態様を示す。
【図６】下肢の血管造影撮影に係る一連のＸ線撮影方法を示すフローチャートである。
【図７】変形例に係る切替機構の断面図である。
【図８】さらなる変形例に係る切替機構の平面図である。
【符号の説明】
【００５８】
１  …  天板
３  …  Ｃ型アーム
５  …  Ｘ線管
６  …  イメージインテンシファイア（Ｉ．Ｉ）
９  …  コリメータ
１１  …  フィルタ
１２  …  切替機構
Ｍ  …  被検体
【図１】
2008114083.tif 000003
【図２】
2008114083.tif 000004
【図３】
2008114083.tif 000005
【図４】
2008114083.tif 000006
【図５】
2008114083.tif 000007
【図６】
2008114083.tif 000008
【図７】
2008114083.tif 000009
【図８】
2008114083.tif 000010